(57)【特許請求の範囲】
【請求項１】
ディスクを駆動しかつ再生する再生機構と、
この再生機構をディスク再生を実行する位置と非実行位置との間で移動させる駆動手段と、
前記再生機構を前記再生実行位置から前記非実行位置まで移動させるように前記駆動手段を外部からの力で動作させるための回転操作部材と、
前記駆動手段に設けられ、前記再生機構が前記再生実行位置にあるとき該再生機構を支持する第１の支持部と、
前記回転操作部材に設けられ、前記再生機構が前記再生実行位置にあるとき該再生機構を支持する第２の支持部とを具備することを特徴とするディスク再生装置。
【請求項２】
ディスクを駆動しかつ再生する再生機構と、
この再生機構をディスク再生を実行する位置と非実行位置との間で前記ディスクの厚み方向に移動させる駆動手段と、
前記再生機構を前記再生実行位置から前記非実行位置まで移動させるように前記駆動手段を外部からの力で動作させるための回転操作部材と、
前記駆動手段に設けられ、前記再生機構が前記再生実行位置にあるとき該再生機構を支持する第１の支持部と、
前記回転操作部材に設けられ、前記再生機構が前記再生実行位置にあるとき該再生機構を支持する第２の支持部とを具備することを特徴とするディスク再生装置。
【請求項３】
ディスクを収容した収容体と、
前記収容体に収容されたディスクを駆動しかつ再生する再生機構と、
前記収容体及び前記再生機構を各々、前記収容体に収容されたディスクの再生を実行する位置と非実行位置との間で移動させる駆動手段と、
前記収容体及び前記再生機構を各々、前記再生実行位置から前記非実行位置まで移動させるように前記駆動手段を外部からの力で動作させるための回転操作部材と、
前記駆動手段に設けられ、前記再生機構が前記再生実行位置にあるとき該再生機構を支持する第１の支持部と、
前記回転操作部材に設けられ、前記再生機構が前記再生実行位置にあるとき該再生機構を支持する第２の支持部とを具備することを特徴とするディスク再生装置。
【請求項４】
ディスクを駆動しかつ再生する再生機構と、
この再生機構をその一端部を支点としてディスク再生を実行する位置と非実行位置との間で回動させる駆動手段と、
前記再生機構を前記再生実行位置から前記非実行位置まで移動させるように前記駆動手段を外部からの力で動作させるための回転操作部材と、
前記駆動手段に設けられ、前記再生機構が前記再生実行位置にあるとき該再生機構の他端部を支持する第１の支持部と、
前記回転操作部材に設けられ、前記再生機構が前記再生実行位置にあるとき該再生機構の他端部を支持する第２の支持部とを具備することを特徴とするディスク再生装置。
【発明の詳細な説明】
【０００１】
【発明の属する技術分野】
本発明は、ＣＤ−ＲＯＭディスク等の光ディスクを再生するディスク再生装置に関する。
【０００２】
【従来の技術】
現在、ＣＤ−ＲＯＭドライブ等のディスクドライブとしては水平フロントローディング方式のものが主流である。この水平フロントローディング方式のディスクドライブとは、光ピックアップやディスクモータ等のディスク駆動・再生機構を内蔵したドライブ本体から、ディスクを搭載するトレーの出し入れを可能としたものである。
【０００３】
この種のディスクドライブでは、トレーがドライブ本体内にローディングされた後、ディスク駆動・再生機構を支持したメカユニットが上昇し、ターンテーブルがトレーからディスクを持ち上げてクランパとの間で挟持することによって、ディスク再生が可能な状態になる。また、ディスク再生終了後にイジェクトボタンが押されると、メカユニットが下降してディスククランプが解除され、トレーにディスクが返却された後、ドライブ本体からトレーが排出される。
【０００４】
メカユニットの昇降機構としては、例えば図５に示すように、メカユニット５をトレー挿入方向奥側の端部に設けられた回動軸６を支点として回動させる方式のものがある。すなわち、これは、メカユニット５の正面側に案内突起８を設けると共に、この案内突起８を円筒カム２７の昇降案内溝９ａに挿入・保持させ、円筒カム２７の回転によって案内突起８を上下方向に案内することよってメカユニット５を昇降させる、というものである。そして、円筒カム２７にはディスククランプ位置まで上昇したメカユニット５の正面側の可動端部を下から支えて、ディスク再生時にメカユニット５の高さを固定するための支持突起（図示せず）が設けられている。
【０００５】
【発明が解決しようとする課題】
しかしながら、前記従来のメカユニット昇降機構では、ディスククランプ時のメカユニットの正面側可動端部の支持が円筒カムに設けられた支持突起で行われているにすぎない。このためメカユニットの支持安定性において難があり、外部からの振動によってメカユニットが左右にふらつくなどしてディスク再生に影響が生じやすいという問題がある。そこで、メカユニットの正面側の支持点を１つ増やし、ディスククランプ状態においてメカユニットの正面側端部を２点で支持する方法が考えられる。しかし、そのためには回転機構を有する支持部材を新たに追加する必要があり、部品点数、組み立て工数の増加を招いてしまう。
【０００６】
本発明はこのような課題を解決するためのもので、回転機構を有する支持部材を新たに追加することなく、ディスク再生位置まで移動させた再生機構をより安定して支持することのできるディスク再生装置の提供を目的としている。
【０００７】
【課題を解決するための手段】上記目的を達成するために、本発明のディスク再生装置は、ディスクを駆動しかつ再生する再生機構と、この再生機構をディスク再生を実行する位置と非実行位置との間で移動させる駆動手段と、前記再生機構を前記再生実行位置から前記非実行位置まで移動させるように前記駆動手段を外部からの力で動作させるための回転操作部材と、前記駆動手段に設けられ、前記再生機構が前記再生実行位置にあるとき該再生機構を支持する第１の支持部と、前記回転操作部材に設けられ、前記再生機構が前記再生実行位置にあるとき該再生機構を支持する第２の支持部とを具備することを特徴とする。
【０００８】本発明においては、再生機構を再生実行位置から非実行位置まで移動させるように駆動手段を外部からの力で動作させるための回転操作部材に再生機構を支持するための第２の支持部を設けたことで、この第２の支持部と駆動手段に設けられた再生機構の第１の支持部とで再生機構を支持することが可能となり、回転機構を有する支持部材を新たに追加することなく、ディスク再生位置まで移動させた再生機構をより安定して支持することができる。このため、外部からの振動による再生機構のふらつきが大幅に低減され、良好なディスク再生が可能となる。
【０００９】
また、本発明は、再生機構をディスク再生を実行する位置と非実行位置との間でディスクの厚み方向に移動させる駆動手段を有するディスク再生装置において有益であり、ディスク再生位置まで移動させた再生機構を下からより安定して支持することができる。
【００１０】さらに、本発明は、ディスクを収容した収容体と再生機構を再生実行位置から非実行位置に移動させるように駆動手段を外部からの力で動作させるための回転操作部材に再生機構を支持するための第２の支持部を設けたことで、この第２の支持部と駆動手段による再生機構の第１の支持部とで再生機構を支持することが可能となり、回転機構を有する支持部材を新たに追加することなく、ディスク再生位置まで移動させた再生機構をより安定して支持することができる。
【００１１】さらに、本発明は、駆動手段により、再生機構をその一端部を支点としてディスク再生を実行する位置と非実行位置との間で回動させる駆動手段を有するディスク再生装置に好適に利用可能であり、この駆動手段を外部からの力で動作させるための回転操作部材に再生機構の他端部を支持するための第２の支持部を設けたことで、この第２の支持部と駆動手段に設けられた再生機構の第１の支持部とで再生機構の可動端部を支持することが可能となり、回転機構を有する支持部材を新たに追加することなく、ディスク再生位置まで移動させた再生機構をより安定して支持することができる。
【００１２】
【発明の実施の形態】
以下、本発明を実施する場合の形態について図面に基づき説明する。
【００１３】
図１及び図２に示すように、本実施形態のディスク再生装置は、ディスクが搭載されるトレー１をドライブ本体部としてのメインシャーシ２に対して出し入れ自在に構成されている。トレー１の両側面にはガイド突起１ａが設けられ、これらのガイド突起１ａはメインシャーシ２に設けられた図示しないガイド部に摺動自在に保持されている。これによりトレー１はこれに搭載されたディスク面と平行な直線方向に案内され、図１に示すトレー排出位置と図２に示すトレー収納位置との間で搬送される。
【００１４】
図１乃至図４に示すように、メインシャーシ２内には、ディスク駆動・再生機構を搭載したメカシャーシ３をダンパーゴム等の複数の緩衝部材４を介して支持して構成される再生メカユニット５が設けられている。メカシャーシ３には、ディスクモータ１３、光ピックアップ１４及び光ピックアップ送り機構（ピックアップ送りモータ１０等を含む。）等が搭載されている。ディスクモータ１３のモータ軸にはターンテーブル１６が取り付けられている。また、メインシャーシ２にはクランパホルダ１１を介してクランパ１２が保持されている。
【００１５】
また、図５に示すように、再生メカユニット５のトレー挿入方向奥側の両側面には回動軸６が同軸的に突設されており、これらの回動軸６はメインシャーシ２の軸保持部７に回動自在に保持されている。また、再生メカユニット５の正面には回動案内軸８が突設されており、この回動案内軸８は円筒カム２７の側面に設けられた昇降案内溝９ａに挿入・保持され、円筒カム２７の回転に伴い、昇降案内溝９ａに沿って上下方向（ディスクの厚み方向）に案内される。これにより、再生メカユニット５は回動軸６を支点として傾動するように構成されている。
【００１６】
また、図３及び図４に示すように、メインシャーシ２にはローディング用モータ（図示せず）が搭載されており、このモータの駆動軸にはピニオンギア２１を介して中間ギア２２が噛合され、さらに中間ギア２２のピニオンギア２３にはローディングギア２４が連結されている。さらにこのローディングギア２４の上側のピニオンギア２５には、図６に示すように、トレー１に設けられたラックギア４２が、ローディングギア２４の下側のピニオンギア２６には円筒カム２７に設けられたギアが各々噛合されるようになっている。
【００１７】
円筒カム２７には、トレー１の裏面に突出して設けられたカム４１と係合するピン突起２８が設けられている。さらに、円筒カム２７には、ディスククランプ位置まで上昇移動させた再生メカユニット５を支えるための支持突起２９と、イマージェンシーレバー３１の一端に立設されたピン突起３２を保持・案内するカム溝３３が設けられている。
【００１８】
イマージェンシーレバー３１は軸３４を支点に回転自在に設けられ、円筒カム２７との結合手段として前記のピン突起３２と共に水平突起３５を備えている。これらピン突起３２及び水平突起３５と円筒カム２７との結合構造については後で説明する。
【００１９】
さらに、イマージェンシーレバー３１には、ディスククランプ時に再生メカユニット５の正面側の可動端を円筒カムの支持突起２９と協働して支えるための支持突起３７と、ディスククランプ完了時点に２接点型の首振りスイッチ３８を所定方向に押圧してこのスイッチ３８を中立状態から倒すためのスイッチ操作部３９が各々設けられている。
【００２０】
このスイッチ３８は、倒れた方向によってディスククランプ完了時点とトレー排出完了時点を各々識別しつつ検出するためのものである。すなわち、図１３に示すように、ディスククランプ完了時点においては、イマージェンシーレバー３１のスイッチ操作部３９に押されてスイッチ３８は図中右側に倒れ、トレー排出完了時点においては、トレー１の裏面に設けられたスイッチ操作突起４９に押されてスイッチ３８は逆に図中左側に倒れる。
【００２１】
次に、このディスク再生装置におけるトレー排出時の動作について説明する。図３及び図６はディスク再生時つまりディスククランプ時の状態を示している。このときイマージェンシーレバー３１のスイッチ操作部３９によってスイッチ３８が右側に押された状態にある。また、再生メカユニット５の正面側の可動端部は、円筒カム２７とイマージェンシーレバー３１の各々の支持突起２９、３７によって２点で支持されており、これによって外部からの振動による再生メカユニット５のふらつきを防止している。さらにこのとき、円筒カム２７のギアとローディングギア２４の下側のピニオンギア２６とは結合（噛合）状態にあり、上側のピニオンギア２６とトレー１のラックギア４２とは非結合状態にある。またこのとき、図１３に示すように、イマージェンシーレバー３１に設けられたトレー位置決め突起４４がトレー１の裏面に設けられたリブ４５と係合され、以て平面上でのトレー１の位置決めが行われている。
【００２２】この後、ローディング用モータがオンされ、ローディングギア２４が矢印方向に回転し始めることによって円筒カム２７が矢印方向に回動する。この円筒カム２７の回動によって、この円筒カム２７にカム溝３３及びピン突起３２を介して連結されているイマージェンシーレバー３１が矢印方向に回動する。これによりイマージェンシーレバー３１のスイッチ操作部３９がスイッチ３８から離れ、さらにイマージェンシーレバー３１の支持突起３７が円筒カム２７の支持突起２９と共に再生メカユニット５の正面側の可動端部５ａ、５ｂを支える位置から退避する。また、円筒カム２７の昇降案内溝９ａに従って再生メカユニット５の回動案内軸８が下方に案内され、ディスククランプ状態が解除される。このとき（円筒カム２７が６０度回転）の状態を図７に示す。
【００２３】
さらに円筒カム２７が回転されると、図８に示すように、円筒カム２７の上面に突設したピン突起２８とトレー１の裏面に設けたカム４１との作用によってトレー１が排出方向に移動し、円筒カム２７が８５度回転した時点で、図９に示すように、ローディングギア２４の上側ピニオンギア２５とトレー１のラックギア４２とが結合状態となる。この時点では、円筒カム２７のギア２７ａとローディングギア２４の下側ピニオンギア２６とは未だ結合状態にある。
【００２４】
さらに円筒カム２７が９５度まで回転した状態を図１０に示す。この時点で円筒カム２７のギア２７ａとローディングギア２４の下側ピニオンギア２６とが切り離されると共に、円筒カム２７のピン突起２８とトレー１のカム４１との作用によって円筒カム２７の回転が規制される。一方、トレー１はローディングギア２４の駆動により前進する。
【００２５】
その後、図１１に示すように、円筒カム２７のピン突起２８がトレー１のカム４１から離脱する。また、図１３にも示すように、そのピン突起２８のカム４１からの離脱とほぼ同時にイマージェンシーレバー３１の一端部（回転規制部）４６がトレー１に設けられたローディング用のスライド溝の壁４７と当接し、この壁４７との当接によってイマージェンシーレバー３１は回転規制（ロック）される。
【００２６】
トレー１の排出が終了した時点の状態を図１２に示す。このように、トレー１の排出が終了した時点でもイマージェンシーレバー３１の一端部４６はトレー１のスライド溝の壁４７と当接しており、イマージェンシーレバー３１と円筒カム２７が外部からの振動等によって不当に回転してトラブルが発生しないようにしている。また、トレー１の排出が終了した時点で、図１３に示すように、トレー１の裏面に設けられたスイッチ操作突起４９がスイッチ３８を左側に押す。すると、スイッチ３８からコントローラにトレー排出完了の検出信号が出力され、この検出信号を受信したコントローラはローディングモータの駆動を停止する。
【００２７】
また、このディスク再生装置において、トレーローディング機構、メカユニット昇降機構が故障や停電等により動作不能に陥った場合は、図６に示したように、正面パネル５１に開けられた小穴５２より棒状物５３を挿入し、イマージェンシーレバー３１を矢印方向に強制的に回す。これにより円筒カム２７が矢印方向に回って再生メカユニット５が下降し、トレー１が若干量排出されて手動によって引き出せる状態となる。
【００２８】
ここで、イマージェンシーレバーと円筒カムとの結合部分の詳細について図１４を用いて説明する。
【００２９】図１４（ａ）はディスク再生時（ディスククランプ時）の状態を示している。このときイマージェンシーレバー３１のピン突起３２は円筒カム２７のカム溝３３内の円筒カム外周寄りの定位置にある。イマージェンシーレバー３１を前述したように棒状物を用いて手動で回すと、ピン突起３２はカム溝３３に沿って円筒カム２７の中心に向けて移動しながら、その周面でカム溝３３の壁を押圧することによって円筒カム２７が矢印方向に回動する。
【００３０】
そして図１４（ｂ）に示すように、ある角度まで円筒カム２７が回転したところで、ピン突起３２はカム溝３３の拡張部分によってカム溝３３の壁から離れると共に、代わってイマージェンシーレバー３１の水平突起３５が円筒カム２７の突起受け面２７ａに当接し、円筒カム２７をその中央から外側に向かって押しながら回す。以降、図１４（ｃ）に示すように、水平突起３５は突起受け面２７ａに沿って円筒カム２７の外周側に向けて移動しながら突起受け面２７ａを押圧する。
【００３１】このように、ピン突起３２が円筒カム２７の中心に接近して円筒カム２７に働くモーメントが小さくなったところで、水平突起３５を円筒カム２７の突起受け面２７ａに当接させて円筒カム２７をその中央から外側に向かって押すように構成したことで、ピン突起３２のみで円筒カム２７のカム溝３３の壁を押して円筒カム２７を回動させる場合に比べ、トータル的により小さな力で円筒カム２７を回動操作することができる。
【００３２】さらにイマージェンシーレバー３１を回動させて行くと、イマージェンシーレバー３１の水平突起３５が円筒カム２７の突起受け面２７ａから離れ、再びピン突起３２がカム溝３３の壁に当たってピン突起３２で円筒カム２７を回動させる状態となる。このときは、ピン突起３２でカム溝３３の壁を外側に向かって押すようになるため、やはり小さな力で円筒カム２７を回動させることができる。このときは、ピン突起３２でカム溝３３の壁を外側に向かって押すようになるため、やはり小さな力で円筒カム２７を回動させることができる。  かくして本実施形態によれば、イマージェンシーレバー３１に、ディスク再生時に再生メカユニット５の正面側の可動端部を円筒カム２７の支持突起２９と協働して２点で支持するための支持突起３７を設けたので、回転機構を有する支持部材を新たに追加することなく、再生メカユニット５の安定支持構造を実現することができ、外部からの振動によるディスク再生への影響を大幅に軽減することが可能となる。
【００３３】
【発明の効果】
以上説明したように本発明のディスク再生装置によれば、回転機構を有する支持部材を新たに追加することなく、ディスク再生位置まで移動させた再生機構をより安定して支持することができる。このため、外部からの振動による再生機構のふらつきが大幅に低減され、良好なディスク再生が可能となる。
【図面の簡単な説明】
【図１】本実施形態のディスク再生装置のトレー排出状態を示す斜視図
【図２】そのディスク再生装置のディスククランプ状態を示す斜視図
【図３】トレーローディング機構の構成をディスククランプ状態において示す斜視図
【図４】トレーローディング機構の構成を非ディスククランプ状態において示す斜視図
【図５】再生メカユニットの昇降機構を示す側面断面図
【図６】本実施形態のディスク再生装置のディスククランプ時の状態を示す平面図
【図７】その円筒カムの６０度回転状態を示す平面図
【図８】同じく円筒カムの７５度回転状態を示す平面図
【図９】同じく円筒カムの８５度回転状態を示す平面図
【図１０】同じく円筒カムの９５度回転状態を示す平面図
【図１１】イマージェンシーレバーの回転規制状態を示す平面図
【図１２】トレー排出終了時の状態を示す平面図
【図１３】イマージェンシーレバー及びトレーの各スイッチ操作突起とスイッチとの関係を示す図
【図１４】イマージェンシーレバーと円筒カムとの結合部分の詳細について説明するための図
【符号の説明】
１……トレー
２……メインシャーシ
３……メカシャーシ
５……再生メカユニット
１３……ディスクモータ
１４……光ピックアップ
２４……ローディングギア
２７……円筒カム
２９……支持突起
３１……イマージェンシーレバー
３２……ピン突起
３３……カム溝
３５……水平突起
３７……支持突起
３８……スイッチ
３９……スイッチ操作部
４２……トレーのラックギア
【図１】
0003556411.tif 000002
【図２】
0003556411.tif 000003
【図３】
0003556411.tif 000004
【図４】
0003556411.tif 000005
【図５】
0003556411.tif 000006
【図６】
0003556411.tif 000007
【図７】
0003556411.tif 000008
【図８】
0003556411.tif 000009
【図９】
0003556411.tif 000010
【図１０】
0003556411.tif 000011
【図１１】
0003556411.tif 000012
【図１２】
0003556411.tif 000013
【図１３】
0003556411.tif 000014
【図１４】
0003556411.tif 000015